(57)【要約】【課題】  簡単な構成で不定型シートのサイズ検知精度を向上させ、適切なシートを正確に選択することが可能な操作性の高い画像形成装置を提供すること。【解決手段】  定型シートのサイズ値を予め記憶した定型サイズ値記憶手段と、給紙部に載置される定型シートのシート端面の定型位置から前記給紙部に載置されたシートの端面位置までの変位量を検知する変位量検知手段と、変位量と定型シートのサイズ値とから、給紙部に置かれたシートのサイズ値を演算する演算手段とを備え、特に給紙部に載置された定型シートのシート端面の定型位置から給紙部に載置されたシートの端面位置までの変位量を増幅し、増幅された変位量を基準として正確なシートのサイズ値を演算する。【選択図】  図３
2006273477.tif 000002
【特許請求の範囲】
【請求項１】
定型シートのサイズ値を予め記憶した定型サイズ値記憶手段と、
給紙部に載置される前記定型シートのシート端面の定型位置から前記給紙部に載置されたシートの端面位置までの変位量を検知する変位量検知手段と、
前記変位量と前記定型シートのサイズ値により、前記給紙部に載置されたシートのサイズ値を演算する演算手段と、
を備えた画像形成装置。
【請求項２】
前記変位量は、
前記給紙部に載置される前記定型シートのシート端面の定型位置から前記給紙部に載置されたシートの端面位置までの変位量を増幅し、増幅された前記変位量を使用することを特徴とする請求項１に記載の画像形成装置。
【請求項３】
前記変位量検知手段は、
前記給紙部に載置される定型シートの端面の定型位置に固定される定型シート規制部材と、前記給紙部に置かれたシートの端面に当接する補助規制部材とを備え、前記補助規制部材と前記定型シート規制部材との間の変位量を検出することを特徴とする請求項１または請求項２に記載の画像形成装置。
【請求項４】
前記補助規制部材は、前記定型シート規制部材の一端に回動自在に取り付けられた支持軸に支持されており、
前記支持軸と前記定型シート規制部材との間の回転角によって前記変位量を検出することを特徴とする請求項３に記載の画像形成装置。
【請求項５】
前記回転角がギヤ列によって増幅され、増幅された前記回転角によって前記変位量を検出することを特徴とする請求項４に記載の画像形成装置。
【発明の詳細な説明】
【技術分野】
【０００１】
本発明は、複写機、ファクシミリ、プリンター等の画像形成装置に関し、具体的には給紙部に載置された不定型シートのサイズを正確に検知して、複数のシートの中から適切なサイズのシートを選択してトナー画像を転写定着させる画像形成装置に関する。
【背景技術】
【０００２】
画像形成装置に用いられる給紙装置においては、使用するシートサイズの多様化に伴い、一つの給紙カセットから多種の定型及び不定型サイズのシートを供給できるような構成が採用されるようになっている。以下、定型サイズとは、Ａ４、Ｂ５のように規格化されたシートサイズをいい、不定型サイズとは、定型サイズ以外のシートサイズをいう。また定型シートとは定型サイズのシートをいう。
【０００３】
このような構成を有する給紙装置では、画像形成装置に形成されたトナー画像とのサイズ調和を図るため、適切なシート選択を行う必要があるが、当初シート選択はユーザによる手動入力によるところが多かった。しかし、近年ではカセットに載置されたシートのサイズを、不定型サイズを含めてより多種類かつ自動的に検知するための種々のサイズ検知方法等が提案されている。
【０００４】
例えば、特許文献１では、積載されたシートの側端部をガイドする規制板を可動自在に設け、この可動規制板をシートサイズに応じて移動させる。これに連動して作動するマイクロスイッチやフォトセンサなどの検出機構を設け、この検出機構のＯＮ／ＯＦＦ状態でシートサイズを検知するようにしたものがある。また、不定型シートを含めてサイズ検出をする場合には、例えば、可動規制板の移動に応じてその値を連続的に変化する可変抵抗器等（以下、ポジションセンサという）を設けて検出する方法が提案されている。
【０００５】
特許文献２では、可動規制板の位置に応じて変化する検出機構の出力を、ある一定のコードに変換する変換部材を設け、そのコードに応じて不定型シートがセットされたことを知るとともに、定型シート及び不定型シートのサイズを判断する給紙装置が提案されている。また、特許文献３では、シートサイズ検出に際してコードとポジションセンサとを組み合わせて、所定位置によって段階的に変化するレベル検知手段（コード検出）と、所定位置ごとに反復的、連続的に変化するリニア検知手段（ポジションセンサ）とによって検出機構を構成し、各検知手段の出力の組み合わせによって、より正確に不定型シートのサイズを判断するサイズ検知装置及び画像形成装置が提案されている。
【０００６】
【特許文献１】特開平０５−２４７１０
【特許文献２】特開２００１−１８７６４３
【特許文献３】特開２００２−１９３４８５
【発明の開示】
【発明が解決しようとする課題】
【０００７】
しかしながら、シートサイズを検知する場合において、可動規制板の動きに応じて連続的に出力可能なポジションセンサをサイズ検知素子として使用することは効果的ではあるが、定型シートと定型サイズに近い値の不定型シートとを正確に区別するには、数ミリ単位での可動規制板の位置検出が必要である。この精度を誤作動なく可動規制板の機構でのみ実現するのは極めて困難であり、コスト高となる。
【０００８】
また、ポジションセンサを用いたシートサイズ検知装置では、検出可能なシートのサイズ差（サイズ範囲）が大きくなると、例えばＡ５サイズからＡ３サイズまでのシート検出が可能とすると、それに伴って、サイズ変化に対するポジションセンサの出力変動値が小さくなるため、抵抗値のバラツキ等による誤差が無視できなくなる。例えば、同一シートサイズであっても、抵抗値のばらつきにより出力が一定とならず、サイズの誤検出を行うこともある。
【０００９】
本発明はかかる事情に鑑みてなされたものであり、検出素子のバラツキ等に影響されることなく、簡単な構成で不定型シートのサイズ検知精度を大幅に向上させ、適切なシートを正確に選択することが可能な、操作性の高い画像形成装置を提供することを目的としている。
【課題を解決するための手段】
【００１０】
上記目的を達成するため、本発明にかかる画像形成装置は、定型シートのサイズ値を予め記憶した定型サイズ値記憶手段と、給紙部に載置される定型シートのシート端面の定型位置から前記給紙部に載置されたシートの端面位置までの変位量を検知する変位量検知手段と、前記変位量と定型シートのサイズ値とから、給紙部に載置されたシートのサイズ値を演算する演算手段とを備えて構成される。
【００１１】
特に、請求項２に記載の画像形成装置では、請求項１に記載の画像形成装置において、給紙部に載置される定型シートのシート端面の定型位置から前記給紙部に載置されたシートの端面位置までの変位量を増幅し、増幅された変位量を基準として正確な変位量を演算するように構成している。
【００１２】
請求項３に記載の画像形成装置では、請求項１または請求項２に記載の画像形成装置において、変位量検知手段を、給紙部に置かれる定型シートのシート端面の定型位置に固定される定型シート規制部材と、給紙部に置かれたシートのシート端面に当接する補助規制部材とから構成し、補助規制部材と定型シート規制部材との間の変位量を検出するように構成している。
【００１３】
請求項４に記載の画像形成装置では、請求項３に記載の画像形成装置において、補助規制部材が定型シート規制部材の一端に回動自在に取り付けられた支持軸によって支持されており、この支持軸が定型シート規制部材との間で作る回転角によって変位量を検出するように構成している。
【００１４】
請求項５に記載の画像形成装置では、請求項４に記載の画像形成装置において、支持軸と定型シート規制部材との回転角がギア列によって増幅され、この増幅された回転角によって変位量を検出し、これを基準として給紙部に置かれたシートのサイズ値を演算するように構成している。上記手段構成によれば、以下のような作用効果が得られる。
【発明の効果】
【００１５】
本発明に係る画像形成装置によれば、給紙部に載置される定型シートのシート端面の定型位置から給紙部に載置されたシートの端面位置までの変位量を検知するように構成しているので、定型シートのサイズ値に応じて変位量の検出の基準位置を変更できる。その結果、変位量検出のためのポジションセンサの出力変動幅を大きくとることができるので検出素子のバラツキによるサイズ誤検出を軽減することができ、不定型シートの選択も適切に行うことのできる画像形成装置とすることができる。
【００１６】
さらに、給紙部に載置される定型シートのシート端面の定型位置から給紙部に載置されたシートの端面位置までの変位量を増幅し、増幅された変位量を基準として演算するように構成すれば、ばらつき補正をすることなく検出する変位量の精度を向上させることができ、より正確な不定型シートのシートサイズ検出が可能となる。
【００１７】
また変位量検知手段を、給紙部に載置される定型シートのシート端面の定型位置に固定される定型シート規制部材と、給紙部に置かれたシートの端面に当接する補助規制部材とから構成して補助規制部材と定型シート規制部材との間の変位量を検出するように構成すれば、従来の構成から大幅な変更をすることなく，簡単な機構的構成で不定型シートのサイズ検知が可能となる。
【００１８】
さらに定型シート規制部材の一端に回動自在に取り付けられた支持軸によって補助規制部材を支持し、この支持軸と定型シート規制部材との間で作る回転角によって変位量を検出するように構成すれば、変位量の検出がより簡単にでき、なおかつギア列による増幅が容易に行うことができるので、簡単な構成で正確な変位量の検出が容易となる。
【００１９】
以上のように本願発明に係る画像形成装置では、検知素子により検出された変位量を増幅して検出精度の向上を図る一方、増幅により検知可能な変位範囲が小さくなることを補うため、複数の定型シートの基準位置を設け、その基準位置からの変位を検出することで一の検知素子による検出可能な検出幅を小さくし、全体としての検出精度の向上を図ろうとするものである。
【発明を実施するための最良の形態】
【００２０】
以下、本願発明に係る画像形成装置の実施の形態を添付図面に基づいて説明する。図１は本願発明の実施形態である画像形成装置１００の全体構成図である。この画像形成装置１００は、自動原稿搬送装置１０、画像読取部２０、図示しない画像処理部、画像形成部３０、給紙部４０、定着装置５０、排紙部６０を備えて構成されている。画像形成装置１００の本体上部には画像読取部２０と、さらにその上に自動原稿搬送装置１０が搭載されている。
【００２１】
自動原稿搬送装置１０は、原稿台１１、排紙台１９、給紙機構１３を構成する原稿押圧板１２と複数のローラ群１４，１５，１６及び原稿搬送路から構成されている。給紙機構１３のローラ群は、原稿を原稿台１１から引出すピックアップローラ１４、原稿搬送路に送り出すフィードローラ１５及び原稿の重送を防止する分離ローラ１６の３種類のローラから構成されている。
【００２２】
原稿台１１は、原稿を複数枚セット可能な給紙皿を有し、この給紙皿には原稿の幅方向に位置決めを行う一対の規制板１８が幅方向に移動可能に設けられている。原稿台１１上に複写面を上向きにして載置された原稿は、原稿押圧板１２により上方に付勢されてピックアップローラ１４に接触し、ピックアップローラ１４の回転により原稿台１１から給紙され、フィードローラ１５及び分離ローラ１６により一枚ずつ分離されて原稿搬送路に送り込まれる。
【００２３】
原稿搬送路の先には画像読取部２０との境にスリットガラス１７が設けられ、原稿台１１の下方には排紙台１９が設けられている。給紙機構１３により原稿搬送路に送り出された原稿はスリットガラス１７上を通過する時に画像読取部２０によってその画像が読み取られ、その後、排紙路上を搬送されて排紙台１９上に載置される。
【００２４】
画像読取部２０は原稿を照射する光源Ｌとミラー２２からなる走査ユニット２１、反射光をガイドする二枚のミラー２３，２４からなる走行体２５、結像レンズ２６及びＣＣＤイメージセンサ２７（以下、ＣＣＤセンサ２７という）から構成されている。画像読取部２０では、原稿が原稿搬送路中に設けられたスリットガラス１７上を通過する際に、スリットガラス１７の下方に停止した走査ユニット２１の光源Ｌが原稿を照射することにより画像データを読み取り、その反射光が二枚のミラー２３，２４からなる走行体２５および結像レンズ２６を経てＣＣＤセンサ２７上に導かれ結像する。
【００２５】
ＣＣＤセンサ２７では、読み取った光画像を電子画像データに変換してシステム基板上に形成される画像処理部（不図示）に送る。画像処理部は、この電子画像データにアナログ処理、Ａ／Ｄ変換、シェーディング補正、画像圧縮処理等を行った後、ディジタル化した画像情報のデータを画像形成部３０へ搬送する。
【００２６】
画像形成部３０は、表面に潜像が形成されるドラム状の感光体１を中央に有しており、感光体１の外周面に沿って動作順に、この感光体１の表面をほぼ一様に帯電する帯電装置３１と、感光体１の表面上に静電潜像の書き込みを行う露光装置３２と、感光体１の表面に形成された潜像にトナーを転移させてトナー画像を形成する現像装置３３と、感光体１が担持するトナー像を記録シートに転写し、記録シートを感光体１から分離する転写分離装置３４、及び転写後の感光体１の表面を清掃するクリーニング装置３５が配設されている。
【００２７】
画像形成部３０の露光装置３２では、ディジタル化された画像情報データをもとに、半導体レーザを電気的に変調し、コリメータレンズを通して多面体反射鏡３６（ポリゴンミラー）とレンズ群によって副走査を行う。さらに感光体１を回転させることで主走査が行われ、原稿画像の静電潜像を感光体１上に再現する。
【００２８】
露光に先立ち、感光体１上には、帯電装置３１のコロナ放電により所定の表面電荷が付与されているが、レーザ光の照射により露光部分の電荷が露光量に応じて減じられ，結果として画像情報データに応じた静電潜像がそれぞれの感光体１上に形成される。静電潜像は、現像装置３３から供給された現像剤トナーにより可視化されてトナー画像となる。
【００２９】
画像形成装置１００本体の下部には、給紙部４０が設けられている。記録シートを収容する給紙トレイ４１の底部には持ち上げ手段により上方向に持ち上げられる可動板４２が配置されている。記録シートの載置された可動板４２は給紙開始信号を受けて上限検知センサで限定される上限位置まで記録シートを持ち上げる。同時にピックアップローラ４３は落下し、載置された記録シートの最上位のものがピックアップローラ４３に接触するように構成されている。
【００３０】
ピックアップローラ４３に接触した記録シートは給紙トレイ４１から給紙され、フィードローラ４４、分離ローラ４５によって一枚ずつ分離されて送り出された後、中間ローラ４６にガイドされてレジストローラ４７まで搬送される。記録シートはレジストローラ４７により記録シートの曲がり矯正と給紙タイミングがとられて転写分離装置３４に搬送され、感光体１の表面上に形成されたトナー画像が転写分離装置３４において記録シート上に一括転写される。
【００３１】
トナー画像の転写分離された記録シートは、ほぼ垂直方向に形成された用紙搬送路Ｂを通って定着装置５０まで搬送されて定着処理される。定着処理のため加熱された記録シートは、図示しない冷却ファンにより冷却され、排紙ローラ６１により排紙されて排紙台６２上に載置される。或いは排紙路切換板６３により再搬送路６４に送り込まれた片面画像処理済みの記録シートは、再び画像形成部３０において両面画像処理された後、排紙部６０の排紙ローラ６１により排紙台６２上に排紙される。
【００３２】
以下に、本願発明の要旨を構成する画像形成装置１００の給紙トレイ４１について説明する。図２は可動板４２を除いた給紙トレイ４１の上面からみた概念構成図である。給紙トレイ４１は記録用のシートＳの両側端面を規制するの側縁規制板７１，７１と、側縁規制板７１，７１に駆動力を伝達する一対のラックギア７２，７２、一対のラックギア７２，７２と噛合して回転するピニオンギア７３及び側縁規制板７１を定位置に固定する規制板固定部材７４並びに記録用のシートＳの後端面を規制するの後端規制板７５等を備えて構成されている。
【００３３】
一対の側縁規制板７１，７１は、規制板固定部材７４に沿って給紙方向とは垂直の方向（⇔の方向）に移動可能であり、いずれか一方の側縁規制板７１を手動で移動させることによりラックギア７２が同時に移動し、ピニオンギア７３を介して他方の側縁規制板７１も同時に移動するように構成されている。また、ピニオンギア７３の回転中心軸を中心として、一対の側縁規制板７１，７１は常に等位置にあるように移動する。なお、後端規制板７５もほぼ同様に構成されており、詳しい説明は省略するが、後端規制板７５は後部規制板固定部材７６に沿って給紙方向に移動する。
【００３４】
一対のラックギア７２，７２とピニオンギア７３等は給紙トレイ４１の底板７０の下部に配置されており、底板７０の上には図示しない可動板４２を介してシートＳが載置される。載置されたシートＳはその側端面が一対の側縁規制板７１，７１に当接して載置位置が規制され、その後端面が後端規制板７５に当接して載置位置が規制される。これにより、シートＳは給紙トレイ４１上の定位置に安定な状態で保持される。
【００３５】
なお、載置されたシートＳがＢ５やＡ４等のような定型サイズのシートＳの場合には、それぞれのシートサイズに対応して規制板固定部材７４の所定位置に切り欠き部７４１を設けており、側縁規制板７１の端部に設けられた突起部７１１と係合して側縁規制板７１が固定される。その結果、シートＳを給紙トレイ４１上の載置位置に安定した状態で保持することができる。保持されたシートＳはコピー指令によってピックアップローラ４３に接触し、その回転摩擦力により給紙トレイ４１の外部に搬送される。
【００３６】
図３は側縁規制板７１の詳細な構成を示す上面図である。（ａ）は給紙トレイ４１に不定型サイズのシートＳを載置した場合の片側の状態を示した図であり、（ｂ）は定型サイズのシートＳを載置した場合の片側の状態を示した図である。また、図４は本発明にかかる変位量検知部８３（変位量検知手段）の機能を表わした説明図である。図３、図４を参照して画像形成装置１００における変位量検知部８３による検知方法を解説する。
【００３７】
側縁規制板７１はスライド軸７８をガイド軸として給紙方向とは垂直の方向に平行移動が可能である。シートＳが給紙トレイ４１に載置された場合には、シートＳの側端面に合わせて移動される。通常は載置されたシートＳのシート幅と同一の定型位置（図３（ａ）の場合）又はそれより大きく、かつ最も近い定型位置（図３（ｂ）の場合）に固定される。
【００３８】
側縁規制版７１には給紙方向から見た後端部近辺に回転支軸７１２が嵌合されており、この回転支軸７１２を中心として回動自在に取り付けられた支持軸８１が設けられている。支持軸８１の他端は補助規制板８０に嵌合された回転支軸８０１に回動自在に取り付けられている。その結果、補助規制板８０はこの支持軸８１によって支持された状態で側縁規制板７１から平行に移動することができる。
【００３９】
補助規制板８０と側縁規制板７１との間には押圧部材８２が配置されている。この押圧部材８２は補助規制板８０を側縁規制板７１から引き離す方向へ常時付勢されており、補助規制板８０がシートＳの側端面に当接した状態を維持するように、押圧部材８２に押圧力を与えるものである。従って、この押圧部材８２は応力のかからない状態において、規制板固定部材７４に設けられた隣接する二つの切り欠き部７４１間の距離のなかで最大距離より長いものが使用される。
【００４０】
側縁規制板７１の回転支軸７１２には同軸上に変位量検知部８３が設けられている。この変位量検知部８３は回転支軸７１２と同軸で回転する大ギア８３１と大ギア８３１に噛合する小ギア８３２とによって２段の増速ギア列を構成している。そして、図示しないが小ギア８３２の回転軸は同軸上にポジションセンサの可変接触点である摺動子に連結されている。補助規制板８０が移動して大ギア８３１が回転すると、その回転は小ギア８３２に伝達される。その回転角はギア比によって増幅され、ポジションセンサによって電圧値に変換され変位量が検知される。ポジションセンサは角度によって出力が変化するロータリーボリュームを使用することができる。
【００４１】
以下に本願発明の画像形成装置の機能作用について説明する。図５は本願発明にかかる画像形成装置１００の機能構成を示すブロック図である。給紙部４０には変位量検知部８３が設けられ、シートＳがセットされたことを検知した給紙部４０は選択された定型サイズ情報とその定型サイズ値から検知された変位量データを給紙制御部２に搬送する。給紙制御部２にはサイズ演算制御部８４と各種定型シートのサイズ値が記憶された記憶手段８５が設けられており、変位量をｍｍ単位に換算してシートサイズの特定を行う。特定されたシートサイズ値は表示部８６に表示される。
【００４２】
例えば、給紙トレイ４１にＢ４の定型シートが載置された場合（図３（ｂ）参照）には、側縁規制板７１をスライド軸７８に沿って移動させ、定型シートのシート側端部７７に当接させる。その位置は定型位置（定型シートのサイズ位置をいう）であり、その位置で側縁規制板７１の突起部７１１と規制板固定部材７４の切り欠き部７４１を係合させて側縁規制板７１を固定させることができる。このとき、補助規制板８０は側縁規制板７１と一体となっており、支持軸８１の側縁規制板７１からの変位量は０であるから、シートサイズは記憶手段８５に記憶された定型シートのシートサイズ値が使用されて表示部８６に表示される。
【００４３】
次に、給紙トレイ４１にＢ４の定型シートより少し幅が狭い不定型シートが載置された場合（図３（ａ）参照）には、側縁規制板７１を直接、定型シートのシート側端部７７に当接させても、側縁規制板７１を規制板固定部材７４に固定することができない。そこで、その外側に位置する、シート側端部７７から最も近い定型位置に側縁規制板７１を固定する。すると、補助規制板８０が押圧部材８２に付勢されて側縁規制板７１から分離し、シート側端部７７に当接する。
【００４４】
補助規制板８０が不定型シートの側端面を規制した状態では支持軸８１は側縁規制板７１からの変位量として回転角ｔ°の値を示しており、この回転角ｔ°は変位量検知部８３の大ギア８３１と小ギア８３２のギア比によって増幅されたのち、ポジションセンサより電気的な変位量に変換されてサイズ演算制御部８４に送られる。サイズ演算制御部８４では側縁規制板７１が固定された位置の定型サイズ値と前記変位量とから給紙トレイ４１に載置されたシートＳのシートサイズを演算し、ｍｍ単位に変換したのち表示部８６に表示する。
【００４５】
上記構成において、支持軸８１の変位量（回転角）が大きくなると（ｔ°が９０度に近い場合）補助規制板８０の平行移動に対する角度変化率が小さくなり、検出精度を確保することができない場合が考慮されるので、側縁規制板７１の固定位置をシート側端部７７に最も近い位置に設定する必要がある。また、支持軸８１の変位量が大きい場合には回転角ではなく直線変位量を検知することで検知精度を上げることも可能である。
【００４６】
以上はシートＳの給紙方向に対する幅方向のシートサイズを検出する例について説明したが、長さ方向のシートサイズの検出には後端規制板７５を使用することによって同様に検出することができ、これによって不定型シートの縦横のシートサイズを正確に検出することが可能となる。その機能は側縁規制板７１の場合と同様であるので説明を省略する。
【００４７】
なお、本願発明の効果について以下に補足する。図６はＸ軸に機械的な変位量（回転角）を、Ｙ軸にその変位量をロータリーボリュームで電気的変位に変換した数値（電圧）を示したグラフである。図６に示すように機械的変位量の増幅を大きくした場合（直線１の場合）と小さい場合（直線２の場合）とを比較すると、増幅が小さい場合には、変位量の検出範囲を広くすることができるが、機械的変位量に対する電圧変化が小さいため、検出精度を犠牲にしなければならない。
【００４８】
増幅を大きくした場合（直線１の場合）には、機械的変位量に対する電圧変化を大きくすることができるので、単位変位量あたりの検出精度を向上させることができるが検知可能な範囲が狭くなる。本願発明では、定型シートのサイズ検知手段を簡単な構成で検出可能にし、それを基準にして不定形シートのサイズ演算を行うことにより、変位量検知精度を高く維持したまま、検知範囲を広くするように構成したものである。なお、ロータリーボリューム以外にもスライドボリュームを使用し、変位量(長さ)を増幅することによっても同様の効果を得ることが可能である。
【図面の簡単な説明】
【００４９】
【図１】本願発明の実施形態である画像形成装置の全体構成図である。
【図２】給紙トレイを上面からみた概念構成図である。
【図３】側縁規制板の詳細な構成を示す上面図である。（ａ）は給紙トレイに不定型サイズのシートを載置した状態を示した図である。（ｂ）は給紙トレイに定型サイズのシートを載置した状態を示した図である。
【図４】本発明にかかる変位量検知部（変位量検知手段）の機能を表わした説明図である。
【図５】本願発明にかかる画像形成装置の機能構成を示すブロック図である。
【図６】Ｘ軸に機械的な変位量を、Ｙ軸にその変位量をロータリーボリュームで電気的変位に変換した数値を示したグラフである。
【符号の説明】
【００５０】
２      給紙制御部
１０    自動原稿搬送装置
２０    画像読取部
３０    画像形成部
４０    給紙部
４１    給紙トレイ
７０    底板
７１    側縁規制板
７２    ラックギア
７３    ピニオンギア
７４    規制板固定部材
７５    後端規制板
７６    後部規制板固定部材
７８    スライド軸
８０    補助規制板
８１    支持軸
８２    押圧部材
８３    変位量検知部（変位量検知手段）
８４    サイズ演算制御部（演算手段）
８５    記憶手段
８６    表示部
１００  画像形成装置
【図１】
2006273477.tif 000003
【図２】
2006273477.tif 000004
【図３】
2006273477.tif 000005
【図４】
2006273477.tif 000006
【図５】
2006273477.tif 000007
【図６】
2006273477.tif 000008